(57)【要約】      （修正有）【課題】男性の性器を適切に包み込むことができ、尿漏れや装着時の不快感を抑制することができる、男性用尿取りパッドを提供する。【解決手段】上辺および上辺より短い下辺を有するベース体２を備える男性用尿取りパッドであって、ベース体２が、不透液性の外面シートと、透液性の肌面シートと、外面シートおよび肌面シートの間に位置する吸収材とを備え、ベース体２の上部中央近傍を肌面シート側から見て谷折りに、左右折り曲げて接合した接合部３と、ベース体２の下部中央近傍を左右方向に収縮して形成したギャザー部４と、接合部３とギャザー部４との間に形成され、男性器を包囲する包囲部５と、を有することを特徴とする男性用尿取りパッド。【選択図】図１
0003225819.tif 000002
【実用新案登録請求の範囲】
【請求項１】
上辺および上辺より短い下辺を有するベース体を備える男性用尿取りパッドであって、
前記ベース体が、不透液性の外面シートと、透液性の肌面シートと、前記外面シートおよび前記肌面シートの間に位置する吸収材とを備え、
前記ベース体の上部中央近傍を前記肌面シート側から見て谷折りに、左右折り曲げて接合した接合部と、
前記ベース体の下部近傍を左右方向に収縮して形成したギャザー部と、
前記接合部と前記ギャザー部との間に形成され、男性器を包囲する包囲部と、を有することを特徴とする男性用尿取りパッド。
【請求項２】
前記接合部の接合箇所の長さが３ｃｍ以上である、請求項１に記載の男性用尿取りパッド。
【請求項３】
前記ギャザー部は、前記ベース体の下辺近傍に弾性部材を組み込むことで、前記下辺近傍が前記弾性部材により収縮することで形成されることを特徴とする請求項１または２に記載の男性用尿取りパッド。
【請求項４】
前記包囲部の内部には、前方に少なくとも３ｃｍ以上の広がりを有することを特徴とする請求項１ないし３のいずれかに記載の男性用尿取りパッド。
【請求項５】
前記包囲部の内部は、上部よりも下部が前方に広がっていることを特徴とする請求項４に記載の男性用尿取りパッド。
【請求項６】
前記ベース体の右辺と左辺との最大幅Ｗ１が１５〜２５ｃｍの略ホタテ貝形であり、
前記ベース体の下辺の長さＷ２が、前記最大幅Ｗ１の１／２以下であることを特徴とする請求項１ないし５のいずれかに記載の尿取りパッド。
【請求項７】
前記包囲部または前記ギャザー部が、１００ｍｌ以上の尿吸収能力を有することを特徴とする請求項１ないし６のいずれかに記載の尿取りパッド。
【考案の詳細な説明】
【技術分野】
【０００１】
本考案は、おむつやおむつカバーの中に配置されて使用される使い捨て型の男性用尿取りパッドに関する。
【背景技術】
【０００２】
尿取りパッドは、おむつやおむつカバーの中に配置されて使用される尿吸収用のパッドであり、例えば寝たきりの人や体の不自由な人などに利用される。ある程度長時間で装着されることが前提とされるところ、一定量以上の尿を吸収する能力が要求される。
【０００３】
出願人は、就寝中の被装着者に寝返りを打たせなくても交換することができ、かつ、被装着者の男性の性器に触れることなく装着し、取り外しすることできる尿取りパッドとして、特許文献１の尿取りパッドを考案した。
【先行技術文献】
【特許文献】
【０００４】
【特許文献１】実用新案登録第３２１５２５７号公報
【考案の概要】
【考案が解決しようとする課題】
【０００５】
しかしながら、特許文献１の尿取りパッドは、平面中央に凹み部を有しているが、凹み部の凹みが浅く、男性の性器を適切に包み込めず、被装着者の姿勢によっては尿が漏れてしまうおそれや、装着時に不快感が生じるおそれがあった。
【０００６】
本考案は、男性の性器を適切に包み込むことができ、尿漏れや装着時の不快感を抑制することができる、男性用尿取りパッドを提供することを目的とする。
【課題を解決するための手段】
【０００７】
本考案の男性用尿取りパッドは、上辺および上辺より短い下辺を有するベース体を備える男性用尿取りパッドであって、前記ベース体が、不透液性の外面シートと、透液性の肌面シートと、外面シートおよび肌面シートの間に位置する吸収材とを備え、前記ベース体の上部中央近傍を前記肌面シート側から見て谷折りに、左右折り曲げて接合した接合部と、前記ベース体の下部中央近傍を左右方向に収縮して形成したギャザー部と、前記接合部と前記ギャザー部との間に形成され、男性器を包囲する包囲部と、を有することを特徴とする。
上記男性用尿取りパッドにおいて、前記接合部の接合箇所の長さが３ｃｍ以上であることを特徴としてもよい。
上記男性用尿取りパッドにおいて、前記ギャザー部は、前記ベース体の下辺近傍に弾性部材を組み込むことで、前記下辺近傍が前記弾性部材により収縮することで形成されることを特徴としてもよい。
上記男性用尿取りパッドにおいて、前記包囲部の内部には、前方に少なくとも３ｃｍ以上の広がりを有することを特徴としてもよい。
上記尿取りパッドにおいて、前記包囲部の内部は、上部よりも下部の方が前方に広がっていることを特徴としてもよい。
上記尿取りパッドにおいて、前記ベース体の右辺と左辺との最大幅Ｗ１が１５〜２５ｃｍの略ホタテ貝形であり、前記ベース体の下辺の長さＷ２が、前記最大幅Ｗ１の１／２以下であることを特徴としてもよい。
上記尿取りパッドにおいて、前記包囲部および前記ギャザー部が、１００ｍｌ以上の尿吸収能力を有することを特徴としてもよい。
【考案の効果】
【０００８】
本考案によれば、男性の性器を適切に包囲することができ、尿漏れや装着時の不快感を抑制することができる、男性用尿取りパッドを提供することが可能となる。
【図面の簡単な説明】
【０００９】
【図１】本実施形態に係る尿取りパッドの正面図である。
【図２】本実施形態に係る尿取りパッドの側面図である。
【図３】本実施形態に係る尿取りパッドの平面図である。
【図４】図１のＡ−Ａ線断面図である。
【図５】公知のおむつカバーの正面図である。
【図６】おむつカバーとともに尿取りパッドを使用する態様を示す図である。
【図７】本実施形態に係る尿取りパッドを収容したおむつカバーの装着が完了した状態を示す図である。
【考案を実施するための形態】
【００１０】
以下、本考案に係る尿取りパッドを、図に基づいて説明する。図１は本実施形態に係る男性用尿取りパッド１の正面図であり、図２は本実施形態に係る男性用尿取りパッド１の側面図であり、図３は本実施形態に係る男性用尿取りパッドの平面図である。また、図４は、図１のＩＶ−ＩＶ線に沿う断面図である。
【００１１】
本実施形態に係る男性用尿取りパッド１は、図１に示すように、略ホタテ貝形のベース体２により構成される。ベース体２は、上端部に形成された接合部３と、中央部に形成された長方形状の包囲部５と、下端部に形成されたギャザー部４とを備えている。また、ベース体２は、図４に示すように、外面シート２１と、肌面シート２２と、外面シート２１および肌面シート２２の間に配置される吸収材２３からなる積層構造を有している。本実施形態に係るベース体２の最も広い部分の幅Ｗ１（包囲部５の中心付近の幅）は１５〜２５ｃｍ、好ましくは１８ｃｍ〜２２ｃｍである。また、ベース体２の最も狭い部分の幅Ｗ２（ギャザー部４の幅）は８〜１２ｃｍである。
【００１２】
外面シート２１は、男性用尿取りパッド１の両面のうち、装着時に被装着者の肌とは反対側（衣類側）に位置する面であり、不透液性不織布により構成されている。この不織布としては、例えば、ポリエチレンやポリプロピレン等のオレフィン系樹脂や、ポリエチレンシート等に不織布を積層したラミネート不織布、防水フィルムを介在させて実質的に液不透過性を確保した不織布が用いられる。液不透過性かつ透湿性を有する素材を用いて構成してもよく、例えば、ポリエチレンやポリプロピレン等のオレフィン系樹脂中に無機充填剤を混練して、シートを成形した後、一軸又は二軸方向に延伸して得られた微多孔性シートを用いることができる。
【００１３】
肌面シート２２は、装着時に被装着者の肌側に向けられる面であり、液透過性シートにより構成されている。この液透過性シートとしては、生理用ナプキンや使い捨ておむつ等の吸収性物品に用いられている公知の液透過性シート（例えば、熱可塑性繊維からなる不織布や開孔を有する樹脂フィルム）を用いることができる。肌面シート２２は、１枚のシートからなるものであってもよいことはもちろん、２枚以上のシートを貼り合せて得た積層シートからなるものであってもよい。
【００１４】
肌面シート２２と外面シート２１とは、外縁付近でシール部２６により接合されている。シール部２６における接合は、接着剤、ヒートシール、高周波シール、超音波シール、熱シールまたはこれらの組み合わせにより行われる。ベース体２のうち外面シート２１のシール部２６より外側の部分が、左端シート２４および右端シート２５となる。
【００１５】
吸収材２３は、例えばパルプ繊維等の吸液性繊維の積層物、吸液性繊維と高吸収性ポリマーとの混合物や積層物、吸収紙単独から構成することができる。吸液性繊維としては、例えば、パルプ繊維、レーヨン繊維、コットン繊維、酢酸セルロース等のセルロール系の親水性繊維、ポリオレフィン、ポリエステル、ポリアミド等の合成樹脂からなる繊維を親水化油剤により親水化した親水化繊維またはこれらの繊維の組み合わせたものを用いることができる。
【００１６】
ベース体２の上端中央部分には接合部３が形成されている。接合部３は、図３に示すように、ベース体２の上端中央部分を、肌面シート２２側から見て谷折りに、左右折り曲げて（図１のＸ方向に折り曲げて）接合することで形成されている。接合部３の接合方法は、特に限定されず、縫合としてもよいし、接着剤、ヒートシール、高周波シール、超音波シール、熱シールなどで接合してもよい。また、図３に示す例では、ベース体２の上端部を接合する構成を例示しているが、ベース体２の上端部近傍であれば、特に限定されず、たとえば、外面シート２１、肌面シート２２および吸収材２３による積層構造を有するベース体２の部分のうち、最も上端側に位置する部分において、接合部３を形成する構成としてもよい。
【００１７】
接合部３の長さ（図３の接合箇所の長さＬ１）は、特に限定されないが、３ｃｍ以上とすることが好ましく、５〜１０ｃｍとすることがより好ましい。このように、接合部３の接合箇所の長さを一定の長さとすることで、包囲部５に相当する部分のベース体２の生地を撓ませることができ（特に左右方向（図１のＹ方向）において撓ますことができ）、包囲部５により包囲される空間を前方側（図２のＸ方向側）に広げることが可能となる。
【００１８】
また、本実施形態では、ベース体２の下端部に弾性部材４１が組み込まれており、この弾性部材４１により下端部（外面シート２１、肌面シート２２および吸収材２３）が左右方向（図１のＹ方向）に収縮することで、ベース体２の下辺周辺において、ヒダ状のギャザー部４が形成されている。このように、ベース体２の下端部を左右方向に収縮させてギャザー部４を形成することで、ギャザー部４によっても、包囲部５に相当する部分のベース体２の生地を撓ませることができ、ギャザー部４の上側に形成される包囲部５により包囲される空間を前方側（図２のＸ方向側）に広げることが可能となる。
【００１９】
包囲部５は、接合部３とギャザー部４との間に形成される。特に、本実施形態では、ベース体２の上端中央部分を肌面シート２２側から見て谷折りに、左右折り曲げ接合して接合部３を形成するとともに、ギャザー部４をベース部の下端部を左右方向に収縮させて形成することで、中央にある包囲部５において、ベース体２の生地が左右方向（図３のＹ方向）に撓むこととなり、包囲部５が包囲する空間を前方に広げることが可能となる（包囲部５の凹みを深くすることができる）。
【００２０】
また、図２においては、包囲部５の内部を破線で表している。図２に示すように、本実施形態では、包囲部５の内部が、上部よりも下部において前方に広がっているように（たとえば、図２に示すように、上部における前方への広がりＬ２よりも、下部における前方への広がりＬ３の方が大きくなるように）、包囲部５を形成することができる。これにより、尿を包囲部５の下部側において吸収しやすくなり、また、包囲部５で吸収した尿がギャザー部４へと到達しにくくなり、尿漏れなどを有効に抑制することができる。なお、包囲部５下部における前方への広がりＬ３は３ｃｍ以上とすることができる。
【００２１】
なお、包囲部５は、男性用尿取りパッド１のうち最も尿が排出される箇所であるため、通常の尿取りパッドよりも吸収材２３を多くし、厚くすることができる。たとえば、包囲部５における吸収材２３の厚みを通常の尿取りパッドの１．５〜６倍、好ましくは２〜２．５倍とすることができる。このように構成することで、包囲部５だけで、１００〜２００ｍｌの尿吸収能力を有するように構成することが好ましく、例えば１２０〜１８０ｍｌの尿吸収能力を有するように構成することがより好ましい。なお、高齢者の１回の尿量は、一般に１００〜１５０ｍｌ程度と言われている。また、ギャザー部４は、包囲部５で吸収した尿が重力により下降して到達する場所となる。そのため、ギャザー部４においても、吸収材２３の厚みを厚くすることができる。たとえば、ギャザー部４と包囲部５とで、たとえば３００〜６００ｍｍ、好ましくは４００〜６００ｍｍ、より好ましくは４５０〜６００ｍｍの尿を保持する構成とすることができる。
【００２２】
また、本実施形態に係る男性用尿取りパッド１では、包囲部５が男性器を包み込む構成とし、また、包囲部５が３ｃｍ以上の凹み（広がりＬ３）を有する構成とすることで、さらに、包囲部５における尿吸収量を高めることで、ベース体２の横幅を従来（特許文献１の尿取りパッド）と比べて短くすることができる（図６参照）。具体的には、ベース体２の最も広い部分の幅Ｗ１（包囲部５の中心付近の幅）を１５〜２５ｃｍ、好ましくは１８ｃｍ〜２２ｃｍとすることができる。これにより、従来よりも男性用尿取りパッド１をコンパクトとすることができ、外部から尿取りパッド１を装着していることが分かりにくくすることができる。
【００２３】
次に、本実施形態に係る男性用尿取りパッド１の使用方法について説明する。本実施形態に係る男性用尿取りパッド１は、市販のおむつカバーまたはおむつとともに使用される。図５は、公知のおむつカバー６の正面図である。例示のおむつカバー６は、一対の後面片６１と、一対の前面片６２と、連絡部６３とを備えており、後面片６１の側辺に設けられた係止部６４により係止することで着用される。連絡部６３には、公知の矩形尿取りパッド６５を載置することが好ましい。吸収しきれない尿や便を矩形尿取りパッド６５により保持することができるからである。使い捨て型の矩形尿取りパッド６５は、男性用尿取りパッド１の交換時に汚れていなければ、交換不要である。
【００２４】
男性用尿取りパッド１は、図６に示すように、腹部の下方で股間を覆う位置に載置される。ここで、ギャザー部４を押下した際、押し曲げられたギャザー部４が、股間に軽く挟まれるような位置に載置するのがよい。また、男性の性器が包囲部５で包み込まれるように男性用尿取りパッド１の位置を調整することが好ましい。このように、本実施形態では、男性用尿取りパッド１の位置を調整するだけで、包囲部５で男性の性器を包み込むことができるため取り付け作業が容易となっている。なお、図６においては、従来の尿取りパッド１を破線で示し、本実施形態に係る男性用尿取りパッド１を実線で示している。図６に示すように、本実施形態に係る男性用尿取りパッド１は、包囲部５を一定の深さの空間を有する構成とし、尿吸収量を高めることで、従来の尿取りパッドと比べて、幅Ｗ１を小さくすることができ、コンパクトに構成されている。
【００２５】
図７は、男性用尿取りパッド１を収容したおむつカバー６の装着が完了した状態を示す図である。おむつカバー６を装着した状態では、男性用尿取りパッド１はおむつカバー６内に収容され、外部から視認することはできない。男性用尿取りパッド１の交換時は係止部６４による係止を解除し、前面片６２をめくり上げることで簡単に男性用尿取りパッド１を取り外すことができる。この際、外面シート２１は、不透液性のため、被装着者の尿により作業者の手を汚すおそれもない。また、新しい男性用尿取りパッド１を取り付ける際も、図７のように大腿部の下方に前面片６２を位置させる必要はなく、大腿部の上に前面片６２を載せた状態で装着作業を行うことが可能である。
【００２６】
このように、本実施形態に係る男性用尿取りパッド１によれば、就寝中の被装着者に寝返りを打たせなくても交換作業を行うことが可能である。高齢者は、夜間多尿傾向にあると言われるところ、就寝中に寝返りを打たせなくても交換作業を行うことができることの意義は大きい。また、被装着者が男性の場合にも、外面シート２１の上から男性器頭部を挟む作業を行うため、性器に触れること無く装着作業を行うことが可能である。さらには、男性用尿取りパッド１の取り外し作業を、被装着者の肌に触れることなく行うことが可能である。
【００２７】
また、本実施形態に係る男性用尿取りパッド１によれば、ベース体２の上部中央近傍を肌面シート側から見て谷折りに左右折り曲げて接合し接合部３を形成するとともに、ベース体２の下部近傍を左右方向に収縮してギャザー部を形成することで、接合部３とギャザー部４との間に、ベース体２の生地が左右方向に撓み、前方への広がり有する包囲部５を形成することができる。これにより、包囲部５により男性器を適切に包囲することができるため、包囲部５で尿を吸収して尿漏れを有効に防止することや、男性器がベース体２に擦れることによる不快感を軽減することができる。
【００２８】
以上、本開示にて幾つかの実施形態を単に例示として詳細に説明したが、本考案の新規な教示及び有利な効果から実質的に逸脱せずに、その実施の形態には多くの改変例が可能である。
【００２９】
たとえば、上述した実施形態では、ギャザー部４をヒダ状に構成することにより、高い尿吸能力を実現したが、この構成に加えて、ギャザー部４に充填する吸収材２３の量を他の部分より多くする（例えば肉厚とする）ことにより、尿の保持能力を実現するようにしてもよい。同様に、包囲部５に充填する吸収材２３の量を他の部分より多くする（例えば肉厚とする）ことにより、包囲部５における尿の保持能力を実現するようにしてもよい。
【符号の説明】
【００３０】
１…尿取りパッド
２…ベース体
２１…外面シート
２２…肌面シート
２３…吸収材
２４…左端シート
２５…右端シート
２６…シール部
３…接合部
４…ギャザー部
４１…弾性部材
５…包囲部
６…おむつカバー
６１…後面片
６２…前面片
６３…連絡部
６４…係止部
６５…矩形尿取りパッド
【図１】
0003225819.tif 000003
【図２】
0003225819.tif 000004
【図３】
0003225819.tif 000005
【図４】
0003225819.tif 000006
【図５】
0003225819.tif 000007
【図６】
0003225819.tif 000008
【図７】
0003225819.tif 000009